(57)【特許請求の範囲】
【請求項１】
リール本体に設けられるスプール軸まわりに回転可能なスピニングリールのロータであって、
前記スプール軸から所定の間隔を隔てて配置される筒状部と、
前記筒状部の内周部に一体に形成される径方向外側部と、前記径方向外側部から前記スプール軸に向けて延びる径方向内側部とを有し、前記径方向外側部は前記径方向内側部の少なくとも一部より薄く構成される板状部と、
を備え、
前記径方向内側部は、前記リール本体に向けて突出する突出部を、有し、
前記板状部は、前記径方向内側部から前記径方向外側部へと延びるように構成されるリブ部を、さらに有し、
前記リブ部は、前記径方向内側部及び前記径方向外側部から前記リール本体に向けて突出する、
スピニングリールのロータ。
【請求項２】
前記筒状部の外周部に設けられるアーム部、
をさらに備え、
前記リブ部は、前記スプール軸と前記アーム部との間において、前記径方向内側部及び前記径方向外側部に設けられ、
前記リブ部は、前記スプール軸から前記アーム部に向けて延びている、
請求項１に記載のスピニングリールのロータ。
【請求項３】
前記径方向内側部は、径方向に向けて厚みが薄くなるように傾斜している、
請求項１又は２に記載のスピニングリールのロータ。
【請求項４】
前記径方向外側部は、第１環状板部を含み、
前記径方向内側部は、前記第１環状板部の内周部に一体に形成される第２環状板部と、前記第２環状板部から軸方向に突出する前記突出部とを、含んでいる、
請求項１から３のいずれか１項に記載のスピニングリールのロータ。
【請求項５】
前記突出部は、錐台状に形成されている、
請求項１から４のいずれか１項に記載のスピニングリールのロータ。
【請求項６】
前記リブ部は、前記筒状部と非接触に構成される、
請求項１から５のいずれか１項に記載のスピニングリールのロータ。
【請求項７】
スプール軸と、
前記スプール軸まわりに回転可能な請求項１から６のいずれか１項に記載のロータと、
を備えるスピニングリール。
【発明の詳細な説明】
【技術分野】
【０００１】
本発明は、スピニングリールのロータ、特にスプール軸まわりに回転可能なスピニングリールのロータに関する。また、本発明は、スピニングリール、特に上記ロータを有するスピニングリールに関する。
【背景技術】
【０００２】
従来のスピニングリールのロータは、スプール軸まわりに回転可能である。スピニングリールのロータは、筒状部と、１対のロータアームと、板状部とを、備えている。筒状部は、スプール軸から所定の間隔を隔てて配置される。１対のロータアームそれぞれの一端部は、筒状部の外周部に一体に形成されている。一方のロータアームの先端部には、釣り糸を案内するためのラインローラが、設けられている。板状部は、径方向外側部からスプール軸に向けて延びる部分である。板状部は、実質的に一定の厚みで、筒状部の内周部に一体に形成されている。
【先行技術文献】
【特許文献】
【０００３】
【特許文献１】特開２０１３−２０２００６号公報
【発明の概要】
【発明が解決しようとする課題】
【０００４】
従来のスピニングリールのロータでは、釣り糸の張力が、ラインローラを介して、ロータアームに伝達される。すると、この張力に対抗する応力が、ロータアームを介して、筒状部に伝達される。このため、上記の応力が大きくなるにつれて、筒状部が変形するおそれがある。
【０００５】
これまで、この筒状部の変形を抑制するための様々な試みがなされてきた。筒状部の剛性は、板状部の剛性によって、左右される。例えば、板状部の厚みを大きくし板状部の剛性を高くすると、筒状部の変形を抑制することができる。この場合、板状部の厚みが大きくなればなるほど、板状部の外周部が筒状部の内周部に接続される部分において、筒状部の外周部にヒケが生じるおそれがある。また、ヒケが発生した場合、筒状部及び板状部が接続される部分には、凹部が形成される。このため、この凹部において、応力集中が生じるおそれもある。さらに、ロータの重量が大きくなるおそれもある。
【０００６】
本発明は、上記の問題に鑑みてなされたものであって、本発明の目的は、ロータの外観を向上するとともに、ロータにおける応力集中を低減することにある。また、本発明の別の目的は、ロータの軽量化を図ることにある。
【課題を解決するための手段】
【０００７】
（１）本発明の一側面に係るスピニングリールのロータは、スプール軸まわりに回転可能である。本ロータは、筒状部と、板状部とを、備えていることが好ましい。筒状部は、スプール軸から所定の間隔を隔てて配置される。板状部は、径方向外側部と、径方向内側部とを、有する。径方向外側部は、筒状部の内周部に一体に形成される。径方向内側部は、径方向外側部からスプール軸に向けて延びている。ここで、径方向外側部は、径方向内側部の少なくとも一部より薄く構成されている。
【０００８】
本ロータでは、板状部の径方向外側部が、板状部の径方向内側部の少なくとも一部より薄く構成されていることが好ましい。これにより、板状部の径方向外側部が筒状部の内周部に接続される部分におけるヒケを、防止することができる。また、ヒケを防止することによって、板状部の径方向外側部が筒状部の内周部に接続される部分における応力集中を、防止することができる。すなわち、ロータの外観を向上するとともに、ロータにおける応力集中を低減することができる。さらに、ロータの軽量化を図ることができる。
【０００９】
なお、本ロータでは、板状部の径方向外側部が、板状部の径方向内側部の少なくとも一部より薄く構成されている。言い換えると、板状部の径方向内側部の少なくとも一部は、板状部の径方向外側部より厚く構成されている。これにより、板状部の径方向内側部における剛性すなわちロータの剛性を、確保しつつ、上記の効果を得ることができる。
【００１０】
（２）本発明の別の側面に係るスピニングリールのロータでは、径方向内側部が、径方向に向けて厚みが薄くなるように傾斜していることが好ましい。これにより、板状部における径方向内側部及び径方向外側部を、スムーズに接続することができる。すなわち、板状部の剛性を確保しながら、板状部における形状変化に対する応力集中を、避けることができる。
【００１１】
（３）本発明のさらに別の側面に係るスピニングリールのロータでは、径方向外側部が、第１環状板部を含んでいることが好ましい。径方向内側部は、第２環状板部と、突出部とを、含んでいる。第２環状板部は、第１環状板部の内周部に一体に形成される。突出部は、第２環状板部から軸方向に突出している。このように構成しても、上記と同様の効果を得ることができる。
【００１２】
（４）本発明のさらに別の側面に係るスピニングリールのロータでは、突出部は、錐台状に形成されていることが好ましい。これにより、径方向内側部及び径方向外側部を、スムーズに接続することができる。すなわち、板状部の剛性を確保しながら、板状部における形状変化に対する応力集中を、避けることができる。
【００１３】
（５）本発明のさらに別の側面に係るスピニングリールのロータでは、板状部が、リブ部を、さらに有することが好ましい。リブ部は、径方向内側部から径方向外側部へと延びるように構成される。これにより、板状部の重量の増加を抑えながら、板状部の剛性を向上することができる。
【００１４】
（６）本発明のさらに別の側面に係るスピニングリールのロータは、筒状部の外周部に設けられるアーム部を、さらに備えることが好ましい。リブ部は、スプール軸とアーム部との間において、径方向内側部及び径方向外側部に設けられる。
【００１５】
この場合、スプール軸とアーム部との間における径方向内側部及び径方向外側部、すなわち筒状部を介してアーム部から板状部に伝達される応力が大きくなる領域に、リブ部が設けられているので、板状部の剛性を効果的に向上することができる。
【００１６】
（７）本発明のさらに別の側面に係るスピニングリールのロータでは、リブ部が、筒状部と非接触に構成されていることが好ましい。例えば、この場合、リブ部の外周部と、筒状部の内周部との間には、隙間が設けられるので、ヒケを発生させることなく、板状部の剛性を効果的に向上することができる。
【００１７】
（８）本発明のさらに別の側面に係るスピニングリールは、スプール軸と、スプール軸まわりに回転可能な上記のロータとを、備える。このように構成することによって、スピニングリールにおいても、上記と同様の効果を得ることができる。
【発明の効果】
【００１８】
本発明では、ロータの外観を向上するとともに、ロータにおける応力集中を低減することができる。また、本発明では、ロータの軽量化を図ることができる。
【図面の簡単な説明】
【００１９】
【図１】本発明の一実施形態によるスピニングリールの側面図。
【図２】前記スピニングリールの側面断面図。
【図３】前記スピニングリールにおけるロータの拡大断面図。
【図４】前記スピニングリールにおけるロータ（筒状部）の部分拡大断面図。
【図５】前記スピニングリールにおけるロータ（筒状部）を後方から見た断面図。
【発明を実施するための形態】
【００２０】
本発明の一実施形態を採用したスピニングリールが、図１及び図２に示されている。
【００２１】
以下では、スプール軸１５が延びる方向を「軸方向」と記す。「軸方向」には、スプール軸１５に沿った方向も含まれる。なお、「軸方向」において、釣り糸が繰り出される方向を「前方（前）」と記し、「前方（前）」とは反対の方向を「後方（後）」と記すことがある。
【００２２】
また、スプール軸１５から離れる方向を「径方向」と記す。ここで、リール本体２が釣り竿（図示しない）に装着された状態で、「径方向」においてスプール軸１５から釣り竿に向かう方向を「上方（上）」と記し、径方向において釣り竿から離れる方向を、「下方（下）」と記すことがある。
【００２３】
なお、図１では、「前方（前）」は紙面の左側に対応し、「後方（後）」は紙面の右側に対応している。また、図１では、「上方（上）」は紙面の上方に対応し、「下方（下）」は紙面の下方に対応している。
【００２４】
さらに、スプール軸１５の軸芯Ｘ（図３を参照）は、ロータ３の回転中心及びピニオンギア１２の回転中心と同芯であり、各部材において軸芯Ｘの周辺部を「中心部」と記すことがある。
【００２５】
図１に示すように、スピニングリールは、ハンドル１と、リール本体２と、スプール４と、ロータ３とを、備えている。ハンドル１は、リール本体２に回転自在に支持されている。ハンドル１は、リール本体２の左右いずれにも装着可能である。
【００２６】
図２に示すように、リール本体２は、リールボディ２ａと、蓋部材２ｂ（図１を参照）と、本体ガード２ｄとを、有している。
【００２７】
リールボディ２ａは、例えばマグネシウム合金やアルミニウム合金等の軽合金製のものである。リールボディ２ａの上部には、竿取付脚２ｃが一体に形成されている。リールボディ２ａの前部は、ロータ３の後部内側に配置される。リールボディ２ａには、スプール軸１５が前後方向に移動可能に装着されている。リールボディ２ａは、内部空間を有する。リールボディ２ａの内部空間には、後述する、ロータ駆動機構５と、オシレーティング機構６と、逆転防止機構８とが、設けられている。
【００２８】
蓋部材２ｂは、例えばマグネシウム合金やアルミニウム合金等の軽合金製のものである。蓋部材２ｂは、リールボディ２ａの内部空間を塞ぐためにリールボディ２ａに着脱自在に装着される。具体的には、蓋部材２ｂは、ロータ３で隠れる前側で固定ボルト（図示しない）により、リールボディ２ａに固定されている。また、蓋部材２ｂは、図１に示すように、ロータ３の後側で固定ボルト９０により、リールボディ２ａに固定されている。
【００２９】
図１及び図２に示すように、本体ガード２ｄは、リールボディ２ａ及び蓋部材２ｂの後部を覆う。図２に示すように、本体ガード２ｄは、リールボディ２ａの内側から挿通された固定ボルト９１により、リールボディ２ａに固定されている。
【００３０】
図２に示すように、ロータ駆動機構５は、フェースギア１１と、ピニオンギア１２とを有している。フェースギア１１は、ハンドル１が固定されたマスターギア軸１０とともに回転する。ピニオンギア１２は、筒状に形成されている。ピニオンギア１２には、スプール軸１５が挿通される。ピニオンギア１２は、フェースギア１１に噛み合う。ピニオンギア１２は、フェースギア１１の回転に連動して、回転する。
【００３１】
ピニオンギア１２の前部は、ロータ３の中心部を貫通し、ナット１３によりロータ３に固定されている。ピニオンギア１２は、軸受１４を介して、リール本体２（リールボディ２ａ）に回転自在に支持されている。
【００３２】
図２に示すように、オシレーティング機構６は、スプール４及びスプール軸１５を軸方向に移動させるための機構である。オシレーティング機構６は、螺軸２１と、スライダ２２と、中間ギア２３とを有している。螺軸２１は、スプール軸１５の下方に平行に配置され、リールボディ２ａに回転可能に設けられている。
【００３３】
スライダ２２は、スプール軸１５の後端に回転不能に固定されている。スライダ２２は、螺軸２１に係合する。スライダ２２は、スプール軸１５とともに螺軸２１に沿って前後方向に移動する。中間ギア２３は、螺軸２１の先端に固定されている。中間ギア２３は、ピニオンギア１２に噛み合っている。
【００３４】
ここで、フェースギア１１が回転すると、ピニオンギア１２が回転する。すると、螺軸２１が、中間ギア２３を介して、回転する。すると、螺軸２１の回転によって、スライダ２２が、螺軸２１に沿って、スプール軸１５とともに前後方向に移動する。これにより、スプール軸１５に連結されたスプール４が、前後方向に移動する。
【００３５】
図２に示すように、逆転防止機構８は、ロータ３の逆転を禁止・解除するための機構である。逆転防止機構８は、リール本体２の前部（リールボディ２ａの前部）に配置されている。逆転防止機構８は、ワンウェイクラッチ９と、ワンウェイクラッチ９を作動状態（逆転禁止状態）と非作動状態（逆転許可状態）とに切り換える切換機構１６とを、有している。
【００３６】
図１及び図２に示すように、スプール４は、釣り糸を外周面に巻き取るものであり、ロータ３の前方において軸方向に移動自在に配置されている。また、スプール４は、後述するロータ３の第１ロータアーム３１と第２ロータアーム３２との間に、配置されている。
【００３７】
図２に示すように、スプール４の内周部には、ドラグ機構６０が配置される。スプール４は、ドラグ機構６０を介して、スプール軸１５に連結される。スプール軸１５は、オシレーティング機構６によって、軸方向に移動する。
【００３８】
ここで、ドラグ機構６０は、スプール４の回転を制動するものである。ドラグ機構６０は、ドラグ調整つまみ６１と、制動部６２とを、有している。ドラグ調整つまみ６１は、スプール軸１５の先端に螺合する。制動部６２は、ドラグ調整つまみ６１により押圧されてスプール４を制動する。
【００３９】
ロータ３は、リール本体２に回転可能に支持されている。また、ロータ３は、スプール軸１５まわりに回転可能に支持されている。図１から図３に示すように、ロータ３は、ロータ本体７と、ロータアーム３０（アーム部の一例）と、ベールアーム４４とを、有している。
【００４０】
図２に示すように、ロータ本体７は、リール本体２の前部に回転可能に支持されている。また、ロータ本体７は、ピニオンギア１２の前部に回転不能に連結されている。具体的には、ロータ本体７は、ピニオンギア１２に非円形係合し、ナット１３によりピニオンギア１２に固定されている。なお、ロータ本体７及び軸受１４との間には、位置決め部材１７が配置されている。詳細には、ロータ本体７と逆転防止機構８との間には、位置決め部材１７が配置されている。
【００４１】
ロータ本体７は、例えば合成樹脂製である。図３から図５に示すように、ロータ本体７は、筒状部２９と、壁部５０（板状部の一例）とを、有している。筒状部２９は、実質的に筒状に形成されている。筒状部２９は、スプール軸１５から所定の間隔を隔てて配置される。詳細には、筒状部２９は、径方向において、スプール軸１５から所定の間隔を隔てて配置される。
【００４２】
図３から図５に示すように、壁部５０は、筒状部２９の内周部に一体に形成される。図４及び図５に示すように、壁部５０は、径方向外側部５１と、径方向内側部５２と、リブ部５３とを、有する。径方向外側部５１は、スプール軸１５を基準とした壁部５０の径方向外側の部分である。径方向外側部５１は、筒状部２９の内周部に一体に形成される。
【００４３】
具体的には、径方向外側部５１は、第１円環板部５１ａ（第１環状板部の一例）を含んでいる。第１円環板部５１ａは、実質的に円環板状に形成されている。第１円環板部５１ａの外周部は、筒状部２９の内周部に一体に形成される。図４に示すように、第１円環板部５１ａは、径方向内側部５２の少なくとも一部より薄くなるように、構成されている。詳細には、第１円環板部５１ａの軸方向厚さｔ１は、径方向内側部５２（第２円環板部５２ａ及び円錐台部５２ｂ）の軸方向厚さｔ２より小さくなるように、構成されている。
【００４４】
図４に示すように、径方向内側部５２は、径方向外側部５１からスプール軸１５に向けて延びる部分である。径方向内側部５２は、径方向に向けて軸方向厚さｔ２が小さくなるように傾斜している。より具体的には、径方向内側部５２は、第２円環板部５２ａ（第２環状板部の一例）と、円錐台部５２ｂ（突出部の一例）と、筒状装着部５２ｃとを、含んでいる。第２円環板部５２ａは、実質的に円環状に形成されている。第２円環板部５２ａは、第１円環板部５１ａの内周部に一体に形成される。第２円環板部５２ａの内周部には、筒状装着部５２ｃが一体に形成される。
【００４５】
図４及び図５に示すように、円錐台部５２ｂは、実質的に円錐台状に形成されており、第２円環板部５２ａから軸方向に突出する部分である。円錐台部５２ｂは、第２円環板部５２ａを下底として軸方向に第２円環板部５２ａから突出している。ここでは、円錐台部５２ｂは、筒状部２９の後部側に向けて突出している。
【００４６】
詳細には、円錐台部５２ｂの下底は、第２円環板部５２ａの一面に一体に形成されている。円錐台部５２ｂの側面は、円錐台部５２ｂの上底から外周部に向けて径方向に傾斜している。すなわち、径方向内側部５２（第２円環板部５２ａ及び円錐台部５２ｂ）の軸方向厚さｔ２が、径方向外側部５１（第１円環板部５１ａ）の軸方向厚さｔ１より大きくなるように、円錐台部５２ｂの傾斜面５２ｆが形成されている。図４に示す断面、例えば軸芯Ｘを含む平面で円錐台部５２ｂが切断された断面において、傾斜面５２ｆは、直線状に形成されている。
【００４７】
また、円錐台部５２ｂの外周（第２円環板部５２ａの外周）と第１円環板部５１ａの内周との境界では、径方向外側部５１の軸方向厚さｔ１及び径方向内側部５２の軸方向厚さｔ２は、実質的に同じである。
【００４８】
図４及び図５に示すように、筒状装着部５２ｃは、第２円環板部５２ａの中心部及び円錐台部５２ｂの中心部において軸方向に延びる部分である。筒状装着部５２ｃは、第２円環板部５２ａの内周部及び円錐台部５２ｂの内周部に、一体に形成されている。また、筒状装着部５２ｃは、円錐台部５２ｂから軸方向に突出している。ここでは、筒状装着部５２ｃは、円錐台部５２ｂの上底から後方に突出している。
【００４９】
筒状装着部５２ｃには、ピニオンギア１２が一体回転可能に連結される。詳細には、筒状装着部５２ｃは、軸方向に延びる非円形孔部５２ｇを、有している。筒状装着部５２ｃの非円形孔部５２ｇには、非円形断面を有するピニオンギア１２の前部が、挿通される。これにより、ピニオンギア１２が、筒状装着部５２ｃに一体回転可能に係止される。この状態において、ピニオンギア１２の先端にナット１３をねじ込むことによって、ロータ本体７がピニオンギア１２に固定される。
【００５０】
図３から図５に示すように、リブ部５３は、径方向内側部５２から径方向外側部５１へと延びる部分である。リブ部５３は、スプール軸１５とロータアーム３０との間において、径方向内側部５２及び径方向外側部５１に設けられる。リブ部５３は、筒状部２９とは非接触である。
【００５１】
具体的には、図４及び図５に示すように、リブ部５３は、第１リブ部５４と、第２リブ部５５とを、有する。第１リブ部５４は、スプール軸１５及び後述する第１ロータアーム３１（図３を参照）の間において、第１円環板部５１ａ及び円錐台部５２ｂに一体に形成される。詳細には、第１リブ部５４は、軸方向において第１円環板部５１ａ及び円錐台部５２ｂから突出している。
【００５２】
図５に示すように、第１リブ部５４は、筒状装着部５２ｃの外周部と筒状部２９の内周部との間において、径方向に延びている。第１リブ部５４は、筒状部２９の内周部と非接触である。すなわち、第１リブ部５４と筒状部２９の内周部との間には、隙間が形成されている。また、第１リブ部５４は、筒状装着部５２ｃの外周部と非接触である。
【００５３】
図４及び図５に示すように、第２リブ部５５は、スプール軸１５及び後述する第２ロータアーム３２（図３を参照）の間において、第１円環板部５１ａ及び円錐台部５２ｂに一体に形成される。詳細には、第２リブ部５５は、軸方向において第１円環板部５１ａ及び円錐台部５２ｂから突出している。
【００５４】
図５に示すように、第２リブ部５５は、筒状装着部５２ｃの外周部と筒状部２９の内周部との間において、径方向に延びている。第２リブ部５５は、筒状部２９の内周部と非接触である。すなわち、第２リブ部５５と筒状部２９の内周部との間には、隙間が形成されている。また、第２リブ部５５は、筒状装着部５２ｃの外周部と非接触である。
【００５５】
図３に示すように、ロータアーム３０は、筒状部２９に一体に形成される。ロータアーム３０は、第１ロータアーム３１と、第２ロータアーム３２とを、有する。第１ロータアーム３１及び第２ロータアーム３２は、筒状部２９の後部から、前方に向けて延びている。
【００５６】
詳細には、第１ロータアーム３１の基端部は、筒状部２９の後部に一体に形成される。第１ロータアーム３１における基端部から先端部に向けて延びる第１アーム部３１ａは、筒状部２９と間隔を隔てて配置される。第２ロータアーム３２の基端部は、第１ロータアーム３１の基端部と対向する位置において、筒状部２９の後部に一体に形成される。第２ロータアーム３２における基端部から先端部に延びる第２アーム部３２ａは、筒状部２９と間隔を隔てて配置される。
【００５７】
図３に示すように、ベールアーム４４は、糸案内姿勢（図２の姿勢）と、糸案内姿勢から反転した糸開放姿勢との間で、揺動自在である。ベールアーム４４は、第１ベール支持部材４０と、第２ベール支持部材４２と、ラインローラ４１と、ベール４３とを、有している。
【００５８】
第１ベール支持部材４０は、第１ロータアーム３１の先端部に揺動自在に装着されている。第２ベール支持部材４２は、第２ロータアーム３２の先端部に揺動自在に装着されている。ラインローラ４１は、釣り糸をスプール４に案内する部材である。ラインローラ４１は、第１ベール支持部材４０に回転可能に設けられている。
【００５９】
ベール４３は、第１ベール支持部材４０及び第２ベール支持部材４２を連結し、釣り糸をラインローラ４１に案内する。詳細には、ベール４３は、ベールアーム４４が糸開放姿勢から糸案内姿勢に復帰した際に、釣り糸をラインローラ４１に導く。
【００６０】
〔まとめ〕
上記実施形態は、下記のように表現可能である。
【００６１】
（１）スピニングリールのロータ３は、スプール軸１５まわりに回転可能である。本ロータ３は、筒状部２９と、壁部５０とを、備えていることが好ましい。筒状部２９は、スプール軸１５から所定の間隔を隔てて配置される。壁部５０は、径方向外側部５１と、径方向内側部５２とを、有する。径方向外側部５１は、筒状部２９の内周部に一体に形成される。径方向内側部５２は、径方向外側部５１からスプール軸１５に向けて延びている。ここで、径方向外側部５１は、径方向内側部５２の少なくとも一部より薄く構成されている。
【００６２】
本ロータ３では、壁部５０の径方向外側部５１が、壁部５０の径方向内側部５２の少なくとも一部より薄く構成されていることが好ましい。これにより、壁部５０の径方向外側部５１が筒状部２９の内周部に接続される部分におけるヒケを、防止することができる。また、ヒケを防止することによって、壁部５０の径方向外側部５１が筒状部２９の内周部に接続される部分における応力集中を、防止することができる。すなわち、ロータ３の外観を向上するとともに、ロータ３における応力集中を低減することができる。さらに、ロータ３の軽量化を図ることができる。
【００６３】
なお、本ロータ３では、壁部５０の径方向外側部５１が、壁部５０の径方向内側部５２の少なくとも一部より薄く構成されている。言い換えると、壁部５０の径方向内側部５２の少なくとも一部は、壁部５０の径方向外側部５１より厚く構成されている。これにより、壁部５０の径方向内側部５２における剛性すなわちロータ３の剛性を、確保しつつ、上記の効果を得ることができる。
【００６４】
（２）スピニングリールのロータ３では、径方向内側部５２が、径方向に向けて厚みが薄くなるように傾斜していることが好ましい。これにより、壁部５０における径方向内側部５２及び径方向外側部５１を、スムーズに接続することができる。すなわち、壁部５０の剛性を確保しながら、壁部５０における形状変化に対する応力集中を、避けることができる。
【００６５】
（３）スピニングリールのロータ３では、径方向外側部５１が、第１円環板部５１ａを含んでいることが好ましい。径方向内側部５２は、第２円環板部５２ａと、円錐台部５２ｂとを、含んでいる。第２円環板部５２ａは、第１円環板部５１ａの内周部に一体に形成される。円錐台部５２ｂは、第２円環板部５２ａから軸方向に突出している。このように構成しても、上記と同様の効果を得ることができる。
【００６６】
（４）スピニングリールのロータ３では、円錐台部５２ｂが、錐台状に形成されているので、径方向内側部５２及び径方向外側部５１を、スムーズに接続することができる。すなわち、壁部５０の剛性を確保しながら、壁部５０における形状変化に対する応力集中を、避けることができる。
【００６７】
（５）スピニングリールのロータ３では、壁部５０が、リブ部５３（第１リブ部５４及び第２リブ部５５）を、さらに有することが好ましい。リブ部５３は、径方向内側部５２から径方向外側部５１へと延びるように構成される。これにより、壁部５０の重量の増加を抑えながら、壁部５０の剛性を向上することができる。
【００６８】
（６）スピニングリールのロータ３は、筒状部２９の外周部に設けられるロータアーム３０を、さらに備えることが好ましい。リブ部５３は、スプール軸１５とロータアーム３０との間において、径方向内側部５２及び径方向外側部５１に設けられる。
【００６９】
この場合、スプール軸１５とロータアーム３０との間における径方向内側部５２及び径方向外側部５１、すなわち筒状部２９を介してロータアーム３０から壁部５０に伝達される応力が大きくなる領域に、リブ部５３が設けられているので、壁部５０の剛性を効果的に向上することができる。
【００７０】
（７）スピニングリールのロータ３では、リブ部５３が、筒状部２９と非接触に構成されていることが好ましい。例えば、この場合、リブ部５３の外周部と、筒状部２９の内周部との間には、隙間が設けられるので、ヒケを発生させることなく、壁部５０の剛性を効果的に向上することができる。
【００７１】
（８）スピニングリールは、スプール軸１５と、スプール軸１５まわりに回転可能な上記のロータ３とを、備える。このように構成することによって、スピニングリールにおいても、上記と同様の効果を得ることができる。
【００７２】
〔他の実施形態〕
（ａ）前記実施形態では、リブ部５３（第１リブ部５４及び第２リブ部５５）が、径方向に延びる場合の例を示したが、第１リブ部５４及び第２リブ部５５がスプール軸１５とロータアーム３０との間に設けられていれば、第１リブ部５４及び／又は第２リブ部５５が延びる方向は、必ずしも径方向でなくてもよい。
【００７３】
（ｂ）前記実施形態では、円錐台部５２ｂが後方に向けて突出する場合の例を示したが、円錐台部５２ｂは、筒状部２９の前方に向けて突出していてもよい。
【００７４】
（ｃ）前記実施形態では、径方向外側部５１を径方向内側部５２より薄くするために、円錐台部５２ｂが設けられる場合の例を示したが、径方向外側部５１を径方向内側部５２より薄くできれば、円錐台部５２ｂを異なる形状に形成してもよい。
【００７５】
（ｄ）前記実施形態では、リブ部５３（第１リブ部５４及び第２リブ部５５）が後方に向けて突出する場合の例を示したが、リブ部５３（第１リブ部５４及び／又は第２リブ部５５）が前方に向けて突出していてもよい。
【００７６】
（ｅ）前記実施形態では、リブ部５３（第１リブ部５４及び第２リブ部５５）が、筒状装着部５２ｃの外周部と非接触である場合の例を示したが、リブ部５３（第１リブ部５４及び／又は第２リブ部５５）が、筒状装着部５２ｃの外周部と接触していてもよい。
【００７７】
（ｆ）前記実施形態では、リブ部５３が、第１リブ部５４と第２リブ部５５とを有する場合の例を示したが、リブ部５３の数は１個又は３個以上であってもよい。なお、リブ部５３の数が１個である場合は、ロータ３の第１ロータアーム３１側にリブ部５３（第１リブ部５４）を設けることが好ましい。
【００７８】
（ｇ）前記実施形態では、円錐台部５２ｂの断面（図４を参照）において、傾斜面５２ｆが直線状に傾斜する場合の例を示した。これに代えて、傾斜面５２ｆは、曲線状に傾斜するように形成されてもよい。
【００７９】
（ｈ）前記実施形態では、径方向内側部５２及び径方向外側部５１の境界において、径方向外側部５１の軸方向厚さｔ１及び径方向内側部５２の軸方向厚さｔ２は、実質的に同じである場合の例を示したが、この境界は段差状に形成してもよい。このように形成しても、径方向外側部５１を径方向内側部５２より薄く構成することができる。
【符号の説明】
【００８０】
１  ハンドル
３  ロータ
１５  スプール軸
２９  筒状部
３０  ロータアーム
５０  壁部
５１  径方向外側部
５２  径方向内側部
５１ａ  第１円環板部
５２ａ  第２円環板部
５２ｂ  円錐台部
５３  リブ部
５４  第１リブ部
５５  第２リブ部
【図１】
0006688603.tif 000002
【図２】
0006688603.tif 000003
【図３】
0006688603.tif 000004
【図４】
0006688603.tif 000005
【図５】
0006688603.tif 000006